(57)【要約】【課題】吸収コアに対して長手方向に余分な収縮力を与えることなく、吸収コアの左右の側縁部を立ち上げ、利用者の尿を良好に吸収することができる尿吸収物品を提供する。【解決手段】採尿パッド１は、トップシート１０と吸収コア３０との間に、積層体２を幅方向に伸縮させる第３弾性部材６１を備えている。第３弾性部材６１を収縮させると、積層体２のうち、着用者の股下に対応する部分が収縮し、吸収コア３０の左右の側縁部が立ち上がる。これにより、吸収コア３０が上向きに開いた凹形状となり、着用者の尿が良好に捕捉されて吸収される。【選択図】図１
2010273856.tif 000002
【特許請求の範囲】
【請求項１】
着用者が排泄する尿を吸収する尿吸収物品であって、
液透過性のトップシートと、
液不透過性のバックシートと、
前記トップシートと前記バックシートとの間に介在する吸収コアと、
を有する積層体を備え、
前記トップシートと前記吸収コアとの間に、前記積層体を幅方向に伸縮させる幅方向弾性部が設けられていることを特徴とする尿吸収物品。
【請求項２】
請求項１に記載の尿吸収物品であって、
前記幅方向弾性部は、着用者の股下に対応する部分に設けられていることを特徴とする尿吸収物品。
【請求項３】
請求項１又は請求項２に記載の尿吸収物品であって、
前記幅方向弾性部は、長手方向に配列された複数の弾性部材により構成されていることを特徴とする尿吸収物品。
【請求項４】
請求項１から請求項３までのいずれかに記載の尿吸収物品であって、
前記幅方向弾性部は、前記吸収コアより広い幅方向の範囲に設けられていることを特徴とする尿吸収物品。
【請求項５】
請求項１から請求項４までのいずれかに記載の尿吸収物品であって、
前記吸収コアには、平面視において前記幅方向弾性部と交差するスリット又は溝が形成されていることを特徴とする尿吸収物品。
【請求項６】
請求項５に記載の尿吸収物品であって、
前記吸収コアには、複数の前記スリット又は複数の前記溝が形成されていることを特徴とする尿吸収物品。
【請求項７】
請求項５又は請求項６に記載の尿吸収物品であって、
前記スリット又は前記溝の長手方向の端部は、前記積層体の側縁部に向けて屈曲していることを特徴とする尿吸収物品。
【請求項８】
請求項１から請求項７までのいずれかに記載の尿吸収物品であって、
前記トップシートの表面に貼着された固定領域と、前記固定領域に対して立ち上がり可能な自由領域とを有する一対のサイドシート
を更に備え、
前記サイドシートは、前記自由領域を前記長手方向に伸縮させる長手方向弾性部を有することを特徴とする尿吸収物品。
【請求項９】
請求項８に記載の尿吸収物品であって、
前記サイドシートの幅方向内側の側縁部は、幅方向外側へ向けて折り返されていることを特徴とする尿吸収物品。
【発明の詳細な説明】
【技術分野】
【０００１】
本発明は、着用者が排泄する尿を吸収する尿吸収物品に関する。
【背景技術】
【０００２】
従来、着用者が排泄する尿を吸収する尿吸収物品として、使い捨てのおむつや、おむつの内側に敷いて使用される採尿パッドが知られている。これらの尿吸収物品は、尿を吸収保持するための吸収コアを有している。従来の尿吸収物品の一例として、特許文献１には、吸収性コアを含む吸収性本体と、吸収性本体の非肌当接面側に配された外包材とを備えた使い捨ておむつが記載されている。
【先行技術文献】
【特許文献】
【０００３】
【特許文献１】特開２００７−１１７３９１号公報
【発明の概要】
【発明が解決しようとする課題】
【０００４】
このような尿吸収物品においては、着用者から排泄された尿が側方へ漏れることを防止するために、吸収コアをしかるべく湾曲させることが望ましい。この点について、特許文献１には、吸収性コアを、中央コアと一対のサイドコアとに分割し、一対のサイドコアを、着用者の股下に沿って起立させることが記載されている。
【０００５】
しかしながら、特許文献１では、吸収性コアの両側縁部に沿って配された弾性部材を長手方向に収縮させることによって、一対のサイドコアを起立させている。このため、サイドコアを起立させるために、吸収性コアが長手方向にも収縮することとなる。また、引用文献１では、長手方向の収縮力を利用してサイドコアを起立させるため、長手方向にかなり強い収縮力を与えなければならないと考えられる。
【０００６】
本発明は、このような事情に鑑みなされたものであり、吸収コアに対して長手方向に余分な収縮力を与えることなく、吸収コアの左右の側縁部を立ち上げ、利用者の尿を良好に吸収することができる尿吸収物品を提供することを目的とする。
【課題を解決するための手段】
【０００７】
上記課題を解決するため、本願の第１発明は、着用者が排泄する尿を吸収する尿吸収物品であって、液透過性のトップシートと、液不透過性のバックシートと、前記トップシートと前記バックシートとの間に介在する吸収コアと、を有する積層体を備え、前記トップシートと前記吸収コアとの間に、前記積層体を幅方向に伸縮させる幅方向弾性部が設けられていることを特徴とする。
【０００８】
本願の第２発明は、第１発明の尿吸収物品であって、前記幅方向弾性部は、着用者の股下に対応する部分に設けられていることを特徴とする。
【０００９】
本願の第３発明は、第１発明又は第２発明の尿吸収物品であって、前記幅方向弾性部は、長手方向に配列された複数の弾性部材により構成されていることを特徴とする。
【００１０】
本願の第４発明は、第１発明から第３発明までのいずれかの尿吸収物品であって、前記幅方向弾性部は、前記吸収コアより広い幅方向の範囲に設けられていることを特徴とする。
【００１１】
本願の第５発明は、第１発明から第４発明までのいずれかの尿吸収物品であって、前記吸収コアには、平面視において前記幅方向弾性部と交差するスリット又は溝が形成されていることを特徴とする。
【００１２】
本願の第６発明は、第５発明の尿吸収物品であって、前記吸収コアには、複数の前記スリット又は複数の前記溝が形成されていることを特徴とする。
【００１３】
本願の第７発明は、第５発明又は第６発明の尿吸収物品であって、前記スリット又は前記溝の長手方向の端部は、前記積層体の側縁部に向けて屈曲していることを特徴とする。
【００１４】
本願の第８発明は、第１発明から第７発明までのいずれかの尿吸収物品であって、前記トップシートの表面に貼着された固定領域と、前記固定領域に対して立ち上がり可能な自由領域とを有する一対のサイドシートを更に備え、前記サイドシートは、前記自由領域を前記長手方向に伸縮させる長手方向弾性部を有することを特徴とする。
【００１５】
本願の第９発明は、第８発明の尿吸収物品であって、前記サイドシートの幅方向内側の側縁部は、幅方向外側へ向けて折り返されていることを特徴とする。
【発明の効果】
【００１６】
本願の第１発明〜第９発明によれば、トップシートと吸収コアとの間に、積層体を幅方向に伸縮させる幅方向弾性部が設けられている。このため、積層体が部分的に収縮し、吸収コアの左右の側縁部が立ち上がる。したがって、吸収コアが上向きに開いた凹形状となり、着用者の尿を良好に捕捉して吸収することができる。
【００１７】
特に、本願の第２発明によれば、幅方向弾性部は、着用者の股下に対応する部分に設けられている。このため、着用者の股下に対応する部分において、吸収コアを上向きに開いた凹形状とすることができる。したがって、着用者の尿をより良好に捕捉して吸収できる。
【００１８】
特に、本願の第３発明によれば、幅方向弾性部は、長手方向に配列された複数の弾性部材により構成されている。このため、吸収コアを安定して凹形状に維持することができる。
【００１９】
特に、本願の第４発明によれば、幅方向弾性部は、吸収コアより広い幅方向の範囲に設けられている。このため、吸収コアの左右の側縁部を、良好に立ち上げることができる。
【００２０】
特に、本願の第５発明によれば、吸収コアには、平面視において幅方向弾性部と交差するスリット又は溝が形成されている。このため、吸収コアは、スリット又は溝を基点として折れ曲がり、左右の側縁部が良好に立ち上がる。また、スリット又は溝の位置を適切に設定すれば、吸収コアを所望の形状に湾曲させることができる。
【００２１】
特に、本願の第６発明によれば、吸収コアには、複数のスリット又は複数の溝が形成されている。このため、吸収コアの左右の側縁部がより良好に立ち上がる。
【００２２】
特に、本願の第７発明によれば、スリット又は溝の長手方向の端部は、積層体の側縁部に向けて屈曲している。このため、吸収コアに吸収された尿を良好に拡散させることができる。また、吸収コアを、長手方向と幅方向との２方向に無理なく湾曲させることができる。
【００２３】
特に、本願の第８発明によれば、尿吸収物品は、トップシートの表面に貼着された固定領域と、固定領域に対して立ち上がり可能な自由領域とを有する一対のサイドシートを更に備え、サイドシートは、自由領域を長手方向に伸縮させる長手方向弾性部を有する。このため、着用者から排泄された尿の側方への漏れを、より良好に防止することができる。
【００２４】
特に、本願の第９発明によれば、サイドシートの幅方向内側の側縁部は、幅方向外側へ向けて折り返されている。このため、吸収コアが凹形状とする一方で、サイドシートを上方に向けて開いた状態に維持し、着用者が排泄する尿を、より良好に捕捉することができる。
【図面の簡単な説明】
【００２５】
【図１】採尿パッドの斜視図である。
【図２】長手方向弾性部及び幅方向弾性部を伸長させた状態の採尿パッドの平面図である。
【図３】採尿パッドを図２中のIII−III位置から見た断面図である。
【図４】サイドシートの下面に接着剤が塗布されている領域を、ハッチングで示した平面図である。
【図５】幅方向弾性部を収縮させた状態の採尿パッドの平面図である。
【図６】採尿パッドを図５中のVI−VI位置から見た断面図である。
【発明を実施するための形態】
【００２６】
以下、本発明の好適な実施形態について、図面を参照しつつ説明する。
【００２７】
＜１．一実施形態に係る採尿パッド＞
図１は、本発明の尿吸収物品の一実施形態に係る採尿パッド１の斜視図である。図２は、採尿パッド１をトップシート１０側から見た平面図である。また、図３は、採尿パッド１を図２中のIII−III位置から見た断面図である。なお、図２及び図３は、後述する第１弾性部材５１ａ、第２弾性部材５１ｂ、及び第３弾性部材６１を、いずれも伸長させた状態を示している。
【００２８】
この採尿パッド１は、着用者の股間にあてがわれて、着用者が排泄する尿を吸収するためのものである。着用者は、おむつの内側にこの採尿パッド１を敷き、おむつを着用する。軽度の排尿であれば、おむつを交換することなく、採尿パッド１のみを交換すれば済むため、着用者の経済的負担や介護者の介護負担が軽減される。
【００２９】
採尿パッド１は、トップシート１０と、バックシート２０と、両シート１０，２０の間に介在する吸収コア３０と、を有する積層体２を備えている。採尿パッド１の着用者が尿を排泄すると、当該尿は、トップシート１０を通過するが、バックシート２０を通過することはなく、トップシート１０とバックシート２０との間において、吸収コア３０に吸収保持される。
【００３０】
トップシート１０は、積層体２の上面側（着用者の肌面に近い側）に配置された、液透過性のシートである。トップシート１０は、例えば、親水性繊維（セルロース、レーヨン、コットン等）を用いた不織布により構成される。また、トップシート１０は、疎水性繊維（ポリプロピレン、ポリエチレン、ポリエステル、ポリアミド、ナイロン等）の表面を界面活性剤により処理して液透過性とした不織布により構成されていてもよい。
【００３１】
バックシート２０は、積層体２の下面側（着用者の肌面から遠い側）に配置された、液不透過性のシートである。バックシート２０は、例えば、疎水性繊維（ポリプロピレン、ポリエチレン、ポリエステル、ポリアミド、ナイロン等）を用いた撥水性の不織布により構成される。また、バックシート２０は、プラスチックフィルムにより構成されていてもよい。
【００３２】
吸収コア３０は、トップシート１０とバックシート２０との間に固定された、吸液性及び保液性を有する部材である。吸収コア３０は、例えば、粉砕したパルプ繊維やセルロース繊維などの親水性繊維の集合層に、粒状の高分子吸収体を混合した塊を、ティッシュペーパーなどの紙シートまたは透液性不織布シートの被覆シートで被覆したものにより構成される。また、吸収コア３０は、高吸収性ポリマーのシート状吸水体により構成されていてもよい。なお、吸収コア３０を、パルプ非存在の高分子吸収材料により構成すれば、吸収コア３０を薄型に形成することができる点で好ましい。
【００３３】
また、図１及び図３に示したように、バックシート２０の下面には、アウターシート４０が貼着されている。アウターシート４０は、バックシート２０より柔軟性が高く、かつ、撥水性を有する不織布により構成されている。
【００３４】
積層体２の長手方向の一方の端部の近傍には、積層体２の他の部分より幅方向の寸法がやや大きい幅広部２ａが形成されている。幅広部２ａにおいては、吸収コア３０の幅方向の寸法も、他の部分よりやや大きくなっている。このため、幅広部２ａには、比較的多量の尿が保持される。着用者は、幅広部２ａが後方（尻部側）に位置するように採尿パッド１を着用すれば、仰向けに寝た状態でも、尿が後方へ漏れ出すことを防止できる。なお、着用者が男性である場合には、幅広部２ａが前方（男性器側）に位置するように、採尿パッド１を着用してもよい。
【００３５】
図３に示したように、トップシート１０の幅方向の寸法は、バックシート２０の幅方向の寸法よりも、小さい。そして、トップシート１０の上面側には、一対の帯状のサイドシート５０が設けられている。各サイドシート５０は、トップシート１０及びバックシート２０の左右の側縁部を覆うように、積層体２の長手方向にのびている。一対のサイドシート５０は、液不透過性の不織布により構成され、着用者から排泄された尿の側方への漏れを防止する役割を果たす。
【００３６】
図３に示したように、サイドシート５０の幅方向内側の側縁部には、長手方向にのびる第１弾性部材５１ａ及び第２弾性部材５１ｂを有する袋状部５１が形成されている。そして、袋状部５１は、第２弾性部材５１ｂの近傍を基点として、幅方向外側へ向けて折り返されている。
【００３７】
一対のサイドシート５０は、接着剤５２ａを介して、トップシート１０の上面に固定されている。また、一対のサイドシート５０及びトップシート１０は、接着剤５２ｂを介して、バックシート２０及び吸収コア３０の上部に貼着されている。本実施形態では、図３に示したように、トップシート１０の幅方向の中央部分の下面には、側縁部より低い密度で、接着剤５２ｂが塗布されている。これにより、一対のサイドシート５０の間において、トップシート１０の液透過性が確保されている。ただし、接着剤５２ｂは、幅方向の中央部分と側縁部とに均一な密度で塗布されていてもよい。
【００３８】
図４は、サイドシート５０の下面に接着剤５２ａ又は接着剤５２ｂが塗布されている領域を、ハッチングで示した平面図である。図４に示したように、サイドシート５０は、幅方向外側の側縁部と、長手方向の両端部とにおいて、接着剤５２ａ又は接着剤５２ｂを介して、トップシート１０、バックシート２０、及び吸収コア３０の上面に貼着されている。以下では、このようなサイドシート５０のトップシート１０、バックシート２０、又は吸収コア３０に貼着された部分を、固定領域５３という。一方、サイドシート５０の固定領域５３以外の部分は、トップシート１０、バックシート２０、又は吸収コア３０の上面に貼着されておらず、固定領域５３に対して立ち上がり可能となっている。以下では、このようなサイドシート５０の立ち上がり可能な部分を、自由領域５４という。
【００３９】
また、サイドシート５０の袋状部５１は、長手方向の両端部（図４においてクロスハッチングで示した箇所）において、サイドシート５０の固定領域５３の上面に貼着されている。これにより、サイドシート５０の袋状部５１は、幅方向外側へ向けて折り返された状態に維持されている。
【００４０】
第１弾性部材５１ａ及び第２弾性部材５１ｂは、自然長よりも伸長された状態で、サイドシート５０の袋状部５１内に接着剤（図示省略）により取り付けられている。このため、第１弾性部材５１ａ及び第２弾性部材５１ｂは、サイドシート５０の自由領域５４を、長手方向に収縮させる弾性力を発生させる。すなわち、本実施形態では、第１弾性部材５１ａ及び第２弾性部材５１ｂが、サイドシート５０の自由領域５４を長手方向に伸縮させる長手方向弾性部を構成する。第１弾性部材５１ａ及び第２弾性部材５１ｂには、例えば、ポリウレタン糸等の糸状の弾性部材を使用すればよい。
【００４１】
採尿パッド１を開いたときには、第１弾性部材５１ａ及び第２弾性部材５１ｂの弾性力により、サイドシート５０の自由領域５４が立ち上がる。これにより、積層体２の上面に一対の起立した堰が形成され、着用者が排泄した尿の側方への漏れが防止される。
【００４２】
図１〜図３に示したように、この採尿パッド１は、着用者の股下に対応する部分に、幅方向にのびる４本の第３弾性部材６１を備えている。４本の第３弾性部材６１は、積層体２のトップシート１０と吸収コア３０との間に設けられ、自然長より伸長された状態で、トップシート１０の下面に接着剤（図示省略）により取り付けられている。このため、４本の第３弾性部材６１は、積層体２のうち、着用者の股下に対応する部分を、幅方向に収縮させる弾性力を発生させる。すなわち、本実施形態では、４本の第３弾性部材６１が、積層体２を幅方向に伸縮させる幅方向弾性部を構成する。第３弾性部材６１には、例えば、ポリウレタン糸等の糸状の弾性部材を使用すればよい。
【００４３】
図５は、４本の第３弾性部材６１を収縮させた状態の採尿パッド１を、トップシート１０側から見た平面図である。また、図６は、採尿パッド１を図５中のVI−VI位置から見た断面図である。
【００４４】
図５及び図６に示したように、４本の第３弾性部材６１を収縮させると、積層体２のうち、着用者の股下に対応する部分が収縮し、吸収コア３０の左右の側縁部が立ち上がる。これにより、着用者の尿が排泄される部位において、吸収コア３０が、上向きに開いた凹形状に湾曲する。このため、着用者から排泄された尿の側方への漏れが防止され、当該尿は、吸収コア３０に良好に吸収される。
【００４５】
特に、本実施形態では、４本の第３弾性部材６１が、長手方向に所定の間隔をあけて配列されている。このため、積層体２には、着用者の股下にフィットするなだらかなくびれが形成される。また、４本の第３弾性部材６１の弾性力により、吸収コア３０は、安定して凹形状に維持される。
【００４６】
また、図２及び図５に示したように、４本の第３弾性部材６１は、吸収コア３０より広い幅方向の範囲に設けられている。このため、４本の第３弾性部材６１により、吸収コア３０の左右の側縁部は良好に立ち上がる。
【００４７】
本実施形態の積層体２は、図２に示したように、平面視においてほぼ長方形状に形成されている。そして、４本の弾性部材６１の収縮力によって、図５に示したように、積層体２が部分的に収縮して、くびれが形成される。このため、積層体２を構成するトップシート１０、バックシート２０、及び吸収コア３０を、くびれを有する形状に予めカットしておく必要はない。
【００４８】
また、本実施形態では、吸収コア３０に一対のスリット３１が形成されている。一対のスリット３１は、積層体２の長手方向に沿って互いに平行にのびており、平面視において４本の第３弾性部材６１と交差する。４本の第３弾性部材６１を収縮させたときには、吸収コア３０は、一対のスリット３１を基点として折れ曲がる。このため、吸収コア３０の左右の側縁部は、良好に立ち上がる。また、吸収コア３０に形成されるスリット３１の位置を適切に設定すれば、吸収コア３０を、所望の凹形状に湾曲させることができる。
【００４９】
また、図２及び図５に示したように、各スリット３１の幅広部２ａに近い側の端部は、積層体２の側縁部に向けて屈曲している。すなわち、両スリット３１の端部付近の間隔が、端部へ向けて徐々に拡大するようになっている。このため、一対のスリット３１の間において、吸収コア３０に吸収された尿は、幅広部２ａ側へ良好に拡散する。これにより、幅広部２ａにおける吸収コア３０の吸収能力を、有効に利用することができる。
【００５０】
また、吸収コア３０は、着用者の股下において、長手方向（前後）と幅方向（左右）との２方向に湾曲することとなる。上記のように、スリット３１の端部を側縁部へ向けて屈曲させておけば、吸収コア３０を、長手方向と幅方向との２方向に、無理なく湾曲させることができる。
【００５１】
なお、本実施形態では、スリット３１の一方の端部のみを屈曲させているが、スリット３１の他方の端部を、同じように側縁部に向けて屈曲させるようにしてもよい。
【００５２】
また、本実施形態では、上述した通り、サイドシート５０の袋状部５１が、幅方向外側へ向けて折り返されている。そして、長手方向の両端部において、折り返された袋状部５１がサイドシート５０の固定領域５３の上面に、貼着されている。このため、吸収コア３０が凹形状に湾曲したときにも、サイドシート５０が内側へ閉じてしまうことはなく、図５及び図６に示したように、サイドシート５０の袋状部５１の端縁部は、幅方向外側へ向けて開いた状態に維持される。したがって、着用者から排泄される尿の側方への漏れを、より良好に防止することができる。
【００５３】
＜２．変形例＞
以上、本発明の一実施形態について説明したが、本発明は上記の実施形態に限定されるものではない。
【００５４】
上記の実施形態では、幅方向弾性部は、４本の糸状の第３弾性部材６１により構成されていたが、幅方向弾性部を構成する弾性部材の数は、１〜３本であってもよく、５本以上であってもよい。また、幅方向弾性部は、ポリウレタンや天然ゴム等を素材とする平板状の弾性部材により、構成されていてもよい。
【００５５】
また、上記の実施形態では、吸収コア３０に２本のスリット３１が形成されていたが、吸収コア３０に形成されるスリット３１の数は、１本であってもよく、３本以上であってもよい。また、吸収コア３０が複数枚のシートにより構成されている場合には、一部のシートのみにスリット３１が形成されていてもよい。また、スリット３１に代えて、吸収コア３０にエンボス等による非貫通の溝が形成されていてもよい。
【００５６】
また、上記の実施形態では、おむつの中に敷いて使用される採尿パッド１について説明したが、本発明の尿吸収物品は、おむつ自体であってもよい。すなわち、トップシート、バックシート、及び吸収コアを有するおむつにおいて、トップシートと吸収コアとの間に、上記の実施形態と同様の幅方向弾性部を設けるようにしてもよい。
【符号の説明】
【００５７】
１  採尿パッド
２  積層体
２ａ  幅広部
１０  トップシート
２０  バックシート
３０  吸収コア
３１  スリット
４０  アウターシート
５０  サイドシート
５１  袋状部
５１ａ  第１弾性部材
５１ｂ  第２弾性部材
５２ａ，５２ｂ  接着剤
５３  固定領域
５４  自由領域
６１  第３弾性部材
【図１】
2010273856.tif 000003
【図２】
2010273856.tif 000004
【図３】
2010273856.tif 000005
【図４】
2010273856.tif 000006
【図５】
2010273856.tif 000007
【図６】
2010273856.tif 000008